(57)【要約】【課題】  複雑な操作を行うことなく適正な露出状態で撮影ができると共に、撮影中の映像に所望のぼかし効果を与える。【解決手段】  マスターレンズ群２０の少なくとも一部を光軸に沿って進退移動させるための操作を行う操作手段と、マスターレンズ群２０の少なくとも一部を駆動させるマスターレンズ駆動手段と、アイリス１６の開口径を可変させるアイリス駆動手段と、光量を制限する遮光部材と、光量を可変させる遮光部材駆動手段と、操作手段の操作に基づいて、マスターレンズ駆動手段に対してマスターレンズ群２０を駆動させるマスターレンズ駆動信号を出力し、アイリス駆動手段に対してアイリス１６を開放側に駆動させるアイリス駆動信号を出力し、遮光部材駆動手段に対して光量を減少させる遮光部材駆動信号を出力する制御手段とを備えたレンズ装置１０を提供することにより、前記課題を解決する。【選択図】  図１
2006195340.tif 000002
【特許請求の範囲】
【請求項１】
フォーカスレンズ群、ズームレンズ群、アイリス及びマスターレンズ群を有し、
前記マスターレンズ群の少なくとも一部を光軸に沿って進退移動させることにより撮影中の映像にぼかし効果を与えることができるレンズ装置であって、
前記マスターレンズ群の少なくとも一部を光軸に沿って進退移動させるための操作を行う操作手段と、
前記マスターレンズ群の少なくとも一部を駆動させるマスターレンズ駆動手段と、
前記アイリスを駆動して前記アイリスの開口径を可変させるアイリス駆動手段と、
前記レンズ装置を通過する光量を制限する遮光部材と、
前記遮光部材を駆動して前記光量を可変させる遮光部材駆動手段と、
前記操作手段に対する操作に基づいて、前記マスターレンズ駆動手段に対して前記マスターレンズ群を駆動させるマスターレンズ駆動信号を出力し、前記アイリス駆動手段に対して前記アイリスを開放側に駆動させるアイリス駆動信号を出力し、前記遮光部材駆動手段に対して前記光量を減少させる遮光部材駆動信号を出力する制御手段と、を備えたことを特徴とするレンズ装置。
【請求項２】
前記遮光部材は、ＮＤフィルタであり、
前記遮光部材駆動手段は、前記ＮＤフィルタを光軸に対して略垂直の面上を移動させることが可能なＮＤフィルタ駆動手段であり、
前記制御手段は、前記操作手段に対する操作に基づいて、前記ＮＤフィルタ駆動手段に対して前記ＮＤフィルタを光軸上に配置させるＮＤフィルタ駆動信号を出力することを特徴とする請求項１に記載のレンズ装置。
【請求項３】
前記遮光部材は、シャッターであり、
前記遮光部材駆動手段は、前記シャッターの速度を可変させることが可能なシャッター駆動手段であり、
前記制御手段は、前記操作手段に対する操作に基づいて、前記シャッター駆動手段に対して前記シャッターの速度を遅くするシャッター駆動信号を出力することを特徴とする請求項１に記載のレンズ装置。
【請求項４】
請求項１乃至請求項３のいずれか１項に記載のレンズ装置であって、さらに、
前記アイリスの絞り位置を検出するアイリス位置検出手段を備え、
前記制御手段は、前記アイリス位置検出手段により検出された前記アイリスの絞り位置が絞り側である場合には、前記マスターレンズ駆動手段に対して前記マスターレンズ群を駆動させるマスターレンズ駆動信号を出力し、前記アイリス駆動手段に対して前記アイリスを開放側に駆動させるアイリス駆動信号を出力し、前記遮光部材駆動手段に対して前記光量を減少させる遮光部材駆動信号を出力し、
前記アイリス位置検出手段により検出された前記アイリスの絞り位置が開放側である場合には、前記マスターレンズ駆動手段に対して前記マスターレンズ群を駆動させるマスターレンズ駆動信号を出力すると共に、前記アイリス駆動信号及び前記遮光部材駆動信号を出力しないことを特徴とするレンズ装置。
【請求項５】
請求項１乃至請求項４のいずれか１項に記載のレンズ装置であって、さらに、
前記ズームレンズ群の位置を検出するズームレンズ位置検出手段を備え、
前記制御手段は、前記ズームレンズ位置検出手段により検出された前記ズームレンズ群のズーム位置がワイド側である場合には、前記マスターレンズ駆動手段に対して前記マスターレンズ群を駆動させるマスターレンズ駆動信号を出力し、前記アイリス駆動手段に対して前記アイリスを開放側に駆動させるアイリス駆動信号を出力し、前記遮光部材駆動手段に対して前記光量を減少させる遮光部材駆動信号を出力することを特徴とするレンズ装置。
【請求項６】
請求項５に記載のレンズ装置であって、さらに、
前記フォーカスレンズ群を駆動させるフォーカスレンズ駆動手段を備え、
前記制御手段は、前記ズームレンズ位置検出手段により検出された前記ズームレンズ群のズーム位置がテレ側である場合には、前記フォーカスレンズ駆動手段に対して前記フォーカスレンズ群を駆動させるフォーカスレンズ駆動信号を出力することを特徴とするレンズ装置。
【請求項７】
フォーカスレンズ群、ズームレンズ群、アイリス及びマスターレンズ群を有し、
前記マスターレンズ群の少なくとも一部を光軸に沿って進退移動させることにより撮影中の映像にぼかし効果を与えることができるレンズ装置であって、
前記マスターレンズ群の少なくとも一部を光軸に沿って進退移動させるための操作を行う操作手段と、
前記マスターレンズ群の少なくとも一部を駆動させるマスターレンズ駆動手段と、
前記アイリスを駆動して前記アイリスの開口径を可変させるアイリス駆動手段と、
テレビカメラ本体との通信が可能な通信手段と、
前記操作手段に対する操作に基づいて、前記マスターレンズ駆動手段に対して前記マスターレンズ群を駆動させるマスターレンズ駆動信号を出力し、前記アイリス駆動手段に対して前記アイリスを開放側に駆動させるアイリス駆動信号を出力し、前記テレビカメラ本体に備えられる撮像素子に入射する光量を制限する光量制限信号を前記通信手段を介して前記テレビカメラ本体に対して出力する制御手段と、を備えたことを特徴とするレンズ装置。
【請求項８】
請求項７に記載のレンズ装置であって、さらに、
前記アイリスの絞り位置を検出するアイリス位置検出手段を備え、
前記制御手段は、前記アイリス位置検出手段により検出された前記アイリスの絞り位置が絞り側である場合には、前記マスターレンズ駆動手段に対して前記マスターレンズ群を駆動させるマスターレンズ駆動信号を出力し、前記アイリス駆動手段に対して前記アイリスを開放側に駆動させるアイリス駆動信号を出力し、前記テレビカメラ本体に対して撮像素子に入射する光量を制限する光量制限信号を出力し、
前記アイリス位置検出手段により検出された前記アイリスの絞り位置が開放側である場合には、前記マスターレンズ駆動手段に対して前記マスターレンズ群を駆動させるマスターレンズ駆動信号を出力すると共に、前記アイリス駆動信号及び前記光量制限信号を出力しないことを特徴とするレンズ装置。
【請求項９】
請求項７又は請求項８に記載のレンズ装置であって、さらに、
前記ズームレンズ群の位置を検出するズームレンズ位置検出手段を備え、
前記制御手段は、前記ズームレンズ位置検出手段により検出された前記ズームレンズ群のズーム位置がワイド側である場合には、前記マスターレンズ駆動手段に対して前記マスターレンズ群を駆動させるマスターレンズ駆動信号を出力し、前記アイリス駆動手段に対して前記アイリスを開放側に駆動させるアイリス駆動信号を出力し、前記テレビカメラ本体に対して撮像素子に入射する光量を制限する光量制限信号を出力することを特徴とするレンズ装置。
【請求項１０】
請求項７乃至請求項９のいずれか１項に記載のレンズ装置であって、さらに、
前記フォーカスレンズ群を駆動させるフォーカスレンズ駆動手段を備え、
前記制御手段は、前記ズームレンズ位置検出手段により検出された前記ズームレンズ群のズーム位置がテレ側である場合には、前記フォーカスレンズ駆動手段に対して前記フォーカスレンズ群を駆動させるフォーカスレンズ駆動信号を出力することを特徴とするレンズ装置。
【発明の詳細な説明】
【技術分野】
【０００１】
本発明はレンズ装置に係り、特に、映像にぼかし効果を与えるためにマスターレンズ群を光軸に沿って進退移動させるレンズ装置に関する。
【背景技術】
【０００２】
テレビカメラ等に使用されるレンズ装置は、フォーカスレンズ群、ズームレンズ群、マスターレンズ群及びアイリスを有し、被写体像を受像面上に鮮鋭に結像させるべく、マスターレンズ群を光軸に沿って進退移動させ、フランジバックフォーカスの調整（トラッキング調整ともいう）を行い得るように構成されている。
【０００３】
ところで、このようなレンズ装置では、ズームレンズ群がワイド側の場合にフォーカスレンズ群の位置を調整しても撮影中の映像にぼかし効果を与えることができない。そこで、マスターレンズ群を光軸に沿って移動させることにより、撮影中の映像にぼかし効果を与えることができるようにしたレンズ装置が存在する（例えば、特許文献１参照）。
【特許文献１】特開平１０−２０１７９号公報
【発明の開示】
【発明が解決しようとする課題】
【０００４】
しかしながら、ワイド側でマスターレンズ群を光軸に沿って移動させても、アイリスが絞られた状態では焦点深度が深いため、所望のぼけ効果を得ることができないという問題がある。またアイリスを開放状態にすると焦点深度は浅くなるが、テレビカメラ本体の撮像素子に入射する光量が多くなってしまい、適正な露出状態で撮影を行うためには複雑な操作が必要となってしまうという問題がある。
【０００５】
そこで本発明は、このような事情に鑑みてなされたもので、複雑な操作を行うことなく適正な露出状態で撮影ができると共に、撮影中の映像に所望のぼかし効果を与えることのできるレンズ装置を提供することを目的とする。
【課題を解決するための手段】
【０００６】
前記目的を達成するために、請求項１に記載の発明は、フォーカスレンズ群、ズームレンズ群、アイリス及びマスターレンズ群を有し、前記マスターレンズ群の少なくとも一部を光軸に沿って進退移動させることにより撮影中の映像にぼかし効果を与えることができるレンズ装置であって、前記マスターレンズ群の少なくとも一部を光軸に沿って進退移動させるための操作を行う操作手段と、前記マスターレンズ群の少なくとも一部を駆動させるマスターレンズ駆動手段と、前記アイリスを駆動して前記アイリスの開口径を可変させるアイリス駆動手段と、前記レンズ装置を通過する光量を制限する遮光部材と、前記遮光部材を駆動して前記光量を可変させる遮光部材駆動手段と、前記操作手段に対する操作に基づいて、前記マスターレンズ駆動手段に対して前記マスターレンズ群を駆動させるマスターレンズ駆動信号を出力し、前記アイリス駆動手段に対して前記アイリスを開放側に駆動させるアイリス駆動信号を出力し、前記遮光部材駆動手段に対して前記光量を減少させる遮光部材駆動信号を出力する制御手段と、を備えたことを特徴とする。
【０００７】
本発明によれば、操作手段に対する操作に基づいて、マスターレンズ群の少なくとも一部を光軸に沿って進退移動させると共に、アイリスを開放して焦点深度を浅くし、さらに遮光部材によってレンズ装置を通過する光量を減少させる。これにより、複雑な操作を行うことなく適正な露出状態で撮影ができると共に、所望のぼかし効果を得ることができる。特に、焦点深度の深いワイド側における撮影時にぼかし効果を与える場合に本発明は好適である。
【０００８】
請求項２に記載の発明は、請求項１に記載のレンズ装置であって、前記遮光部材は、ＮＤフィルタであり、前記遮光部材駆動手段は、前記ＮＤフィルタを光軸に対して略垂直の面上を移動させることが可能なＮＤフィルタ駆動手段であり、前記制御手段は、前記操作手段に対する操作に基づいて、前記ＮＤフィルタ駆動手段に対して前記ＮＤフィルタを光軸上に配置させるＮＤフィルタ駆動信号を出力することを特徴とする。
【０００９】
請求項３に記載の発明は、請求項１に記載のレンズ装置であって、前記遮光部材は、シャッターであり、前記遮光部材駆動手段は、前記シャッターの速度を可変させることが可能なシャッター駆動手段であり、前記制御手段は、前記操作手段に対する操作に基づいて、前記シャッター駆動手段に対して前記シャッターの速度を遅くするシャッター駆動信号を出力することを特徴とする。
【００１０】
請求項２及び請求項３の態様のいずれの場合においても、レンズ装置を通過する光量を減少させることができる。これにより、複雑な操作を行うことなく適切な露出状態で撮影ができると共に、所望のぼかし効果を得ることができる。
【００１１】
請求項４に記載の発明は、請求項１乃至請求項３のいずれか１項に記載のレンズ装置であって、さらに、前記アイリスの絞り位置を検出するアイリス位置検出手段を備え、前記制御手段は、前記アイリス位置検出手段により検出された前記アイリスの絞り位置が絞り側である場合には、前記マスターレンズ駆動手段に対して前記マスターレンズ群を駆動させるマスターレンズ駆動信号を出力し、前記アイリス駆動手段に対して前記アイリスを開放側に駆動させるアイリス駆動信号を出力し、前記遮光部材駆動手段に対して前記光量を減少させる遮光部材駆動信号を出力し、前記アイリス位置検出手段により検出された前記アイリスの絞り位置が開放側である場合には、前記マスターレンズ駆動手段に対して前記マスターレンズ群を駆動させるマスターレンズ駆動信号を出力すると共に、前記アイリス駆動信号及び前記遮光部材駆動信号を出力しないことを特徴とする。
【００１２】
請求項４の態様によれば、アイリス位置検出手段により検出されたアイリスの絞り位置に応じて、マスターレンズ群、アイリス及び遮光部材が選択的に駆動される。これにより、カメラマンはアイリスの絞り位置を意識することなく、撮影中の映像に所望のぼかし効果を与えることができる。
【００１３】
請求項５に記載の発明は、請求項１乃至請求項４のいずれか１項に記載のレンズ装置であって、さらに、前記ズームレンズ群の位置を検出するズームレンズ位置検出手段を備え、前記制御手段は、前記ズームレンズ位置検出手段により検出された前記ズームレンズ群のズーム位置がワイド側である場合には、前記マスターレンズ駆動手段に対して前記マスターレンズ群を駆動させるマスターレンズ駆動信号を出力し、前記アイリス駆動手段に対して前記アイリスを開放側に駆動させるアイリス駆動信号を出力し、前記遮光部材駆動手段に対して前記光量を減少させる遮光部材駆動信号を出力することを特徴とする。
【００１４】
請求項５の態様によれば、ズームレンズ位置検出手段により検出されたズームレンズ群のズーム位置がワイド側である場合には、マスターレンズ群の駆動と共に、アイリスを開放側に駆動し、さらに遮光部材を駆動してレンズ装置を通過する光量を減少させる。これにより、カメラマンはズームレンズ群のズーム位置を意識することなく、撮影中の映像に所望のぼかし効果を与えることができる。
【００１５】
請求項６に記載の発明は、請求項５に記載のレンズ装置であって、さらに、前記フォーカスレンズ群を駆動させるフォーカスレンズ駆動手段を備え、前記制御手段は、前記ズームレンズ位置検出手段により検出された前記ズームレンズ群のズーム位置がテレ側である場合には、前記フォーカスレンズ駆動手段に対して前記フォーカスレンズ群を駆動させるフォーカスレンズ駆動信号を出力することを特徴とする。
【００１６】
請求項６の態様によれば、ズームレンズ位置検出手段により検出されたズームレンズ群のズーム位置がテレ側である場合には、フォーカスレンズ群を駆動させる。これにより、カメラマンはズームレンズ群のズーム位置を意識することなく、撮影中の映像に所望のぼかし効果を与えることができる。
【００１７】
請求項７に記載の発明は、フォーカスレンズ群、ズームレンズ群、アイリス及びマスターレンズ群を有し、前記マスターレンズ群の少なくとも一部を光軸に沿って進退移動させることにより撮影中の映像にぼかし効果を与えることができるレンズ装置であって、前記マスターレンズ群の少なくとも一部を光軸に沿って進退移動させるための操作を行う操作手段と、前記マスターレンズ群の少なくとも一部を駆動させるマスターレンズ駆動手段と、前記アイリスを駆動して前記アイリスの開口径を可変させるアイリス駆動手段と、テレビカメラ本体との通信が可能な通信手段と、前記操作手段に対する操作に基づいて、前記マスターレンズ駆動手段に対して前記マスターレンズ群を駆動させるマスターレンズ駆動信号を出力し、前記アイリス駆動手段に対して前記アイリスを開放側に駆動させるアイリス駆動信号を出力し、前記テレビカメラ本体に備えられる撮像素子に入射する光量を制限する光量制限信号を前記通信手段を介して前記テレビカメラ本体に対して出力する制御手段と、を備えたことを特徴とする。
【００１８】
請求項７の態様によれば、レンズ装置はテレビカメラ本体に対して、テレビカメラ本体の撮像素子に入射する光量を制限する光量制限信号を出力する。これにより、テレビカメラ本体は、光量制限信号に基づいて、テレビカメラ本体側に備えられるＮＤフィルタ等の遮光部材を光軸上に配置したり、撮像素子の感度を下げたりすることができる。この結果、複雑な操作を行うことなく適正な露出状態で撮影ができると共に、撮影中の映像に所望のぼかし効果を与えることができる。
【００１９】
請求項８に記載の発明は、請求項７に記載のレンズ装置であって、さらに、前記アイリスの絞り位置を検出するアイリス位置検出手段を備え、前記制御手段は、前記アイリス位置検出手段により検出された前記アイリスの絞り位置が絞り側である場合には、前記マスターレンズ駆動手段に対して前記マスターレンズ群を駆動させるマスターレンズ駆動信号を出力し、前記アイリス駆動手段に対して前記アイリスを開放側に駆動させるアイリス駆動信号を出力し、前記テレビカメラ本体に対して撮像素子に入射する光量を制限する光量制限信号を出力し、前記アイリス位置検出手段により検出された前記アイリスの絞り位置が開放側である場合には、前記マスターレンズ駆動手段に対して前記マスターレンズ群を駆動させるマスターレンズ駆動信号を出力すると共に、前記アイリス駆動信号及び前記光量制限信号を出力しないことを特徴とする。
【００２０】
請求項９に記載の発明は、請求項７又は請求項８に記載のレンズ装置であって、さらに、前記ズームレンズ群の位置を検出するズームレンズ位置検出手段を備え、前記制御手段は、前記ズームレンズ位置検出手段により検出された前記ズームレンズ群のズーム位置がワイド側である場合には、前記マスターレンズ駆動手段に対して前記マスターレンズ群を駆動させるマスターレンズ駆動信号を出力し、前記アイリス駆動手段に対して前記アイリスを開放側に駆動させるアイリス駆動信号を出力し、前記テレビカメラ本体に対して撮像素子に入射する光量を制限する光量制限信号を出力することを特徴とする。
【００２１】
請求項１０に記載の発明は、請求項７乃至請求項９のいずれか１項に記載のレンズ装置であって、さらに、前記フォーカスレンズ群を駆動させるフォーカスレンズ駆動手段を備え、前記制御手段は、前記ズームレンズ位置検出手段により検出された前記ズームレンズ群のズーム位置がテレ側である場合には、前記フォーカスレンズ駆動手段に対して前記フォーカスレンズ群を駆動させるフォーカスレンズ駆動信号を出力することを特徴とする。
【００２２】
請求項８〜１０の態様は、それぞれ請求項５〜６の態様と同様に、カメラマンはアイリスの絞り位置やズームレンズ群のズーム位置を意識することなく、撮影中の映像に所望のぼかし効果を与えることができる。
【発明の効果】
【００２３】
本発明によれば、操作手段に対する操作に基づいて、マスターレンズ群を光軸に沿って進退移動させると共に、アイリスを開放して焦点深度を浅くし、さらに遮光部材によってレンズ装置を通過する光量を減少させる。これにより、複雑な操作を行うことなく適正なな露出状態で撮影ができると共に、所望のぼかし効果を得ることができる。特に、焦点深度の深いワイド側における撮影時にぼかし効果を与える場合に本発明は好適である。
【発明を実施するための最良の形態】
【００２４】
以下添付図面に従って本発明に係るレンズ装置の好ましい実施の形態を詳述する。
【００２５】
〔第１の実施形態〕
図１は、本発明の第１の実施形態に係るレンズ装置の駆動制御系を示すブロック図である。レンズ装置１０は、フォーカスレンズ群１２、ズームレンズ群１４、アイリス１６、ＮＤフィルタ１８及びマスターレンズ群２０を有し、これらをそれぞれモータ駆動するための駆動回路２２、２４、２６、２８、３０及びモータ３２、３４、３６、３８、４０が設けられている。なお、図では便宜上各レンズ群（フォーカスレンズ群１２、ズームレンズ群１４、マスターレンズ群２０）は１枚のレンズとして示してあるが実際には１枚又は複数枚のレンズで構成される。
【００２６】
また、このレンズ装置１０には、フォーカスレンズ群１２、ズームレンズ群１４、アイリス１６、ＮＤフィルタ１８及びマスターレンズ群２０の位置をそれぞれ検出する位置検出手段４２、４４、４６、４８、５０と、位置検出手段４２〜５０で得た検出信号をデジタル信号に変換するＡ／Ｄ変換器５２と、フォーカスレンズ群１２、ズームレンズ群１４、アイリス１６、ＮＤフィルタ１８及びマスターレンズ群２０の駆動を制御する中央処理装置（ＣＰＵ）５４とが設けられている。駆動回路２２〜３０はＣＰＵ５４によって制御され、ＣＰＵ５４から加えられる制御信号に応じてモータ３２〜４０を駆動する。各モータ３２〜４０の回転駆動力が図示せぬ動力伝達手段を介してフォーカスレンズ群１２、ズームレンズ群１４、アイリス１６、ＮＤフィルタ１８及びマスターレンズ群２０に伝達されることにより、フォーカスレンズ群１２、ズームレンズ群１４、アイリス１６、ＮＤフィルタ１８及びマスターレンズ群２０はそれぞれ所定の動作を行う。すなわち、各レンズ群（１２、１４、２０）は光軸に沿って進退移動し、アイリス１６は開口径を開閉動作し、ＮＤフィルタ１８は光軸に対して略垂直の面上を移動する。
【００２７】
位置検出手段４２〜５０には例えばポテンショメータが用いられ、その検出信号はＡ／Ｄ変換器５２を介してＣＰＵ５４に通知される。レンズ装置１０を操作・制御するための手段として、ズームコントローラ５６、フォーカスコントローラ５８及びトラッキングコントローラ６０（操作手段に相当）が設けられ、各コントローラ５６、５８、６０から出力される信号はＣＰＵ５４に入力される。
【００２８】
ズームコントローラ５６は、ズームレンズ群１４を制御する手段である。ズームコントローラ５６は、例えばサムリングと呼ばれる回動操作部材を有するズームレートデマンドタイプであり、中立位置からのサムリングの回動方向と回動量に応じてテレ（Ｔｅｌｅ）方向又はワイド（Ｗｉｄｅ）方向のズーム速度を指令する信号（ズーム速度指令信号）を出力する。図には示さないが、このズームコントローラはカメラマンが手元で操作できるように、テレビカメラを支持する雲台に設けられたパン棒のグリップ付近などに取り付けられる。
【００２９】
フォーカスコントローラ５８は、フォーカスレンズ群１２を制御する手段である。フォーカスコントローラ５８は、例えば回転操作部材を有するフォーカスオンデマンドタイプであり、回転操作部材の回転方向と回転量に応じてフォーカスレンズ群１４の位置を指令する信号（フォーカス位置指令信号）を出力する。図には示さないが、このフォーカスコントローラもカメラマンが手元で操作できるように、テレビカメラを支持する雲台に適当な取り付け手段を介して取り付けられる。
【００３０】
トラッキングコントローラ６０は、マスターレンズ群２０を制御する手段である。図２は、トラッキングコントローラ６０の一例を示した構成図である。同図に示したトラッキングコントローラ６０はスイッチボックスタイプであり、スピード調整つまみ６２、位置調整つまみ６４、リモートトラッキングスイッチ６６、アイリス連動モード選択スイッチ６８及びアイリス連動モード表示部６９を備えている。スピード調整つまみ６２及び位置調整つまみ６４は、マスターレンズ群２０の移動速度及び位置を調整する手段である。
【００３１】
リモートトラッキングスイッチ６６は、マスターレンズ群２０の駆動をＯＮ／ＯＦＦする切替スイッチであって、通常はＯＦＦ状態にあり、撮影中の映像にぼかし効果を与える際にＯＮ操作される。
【００３２】
アイリス連動モード選択スイッチ６８は、マスターレンズ群２０を移動させるときにアイリス１６及びＮＤフィルタ１８に所定の動作をさせるか否かを選択するスイッチである。アイリス連動モード選択スイッチ６８がＯＮ側の場合は、アイリス１６及びＮＤフィルタ１８はマスターレンズ群２０に連動して駆動され、ＯＦＦ側の場合は、アイリス１６及びＮＤフィルタ１８は駆動されないように構成されている。
【００３３】
リモートトラッキングスイッチ６６がＯＮ操作されたとき、アイリス連動モード選択スイッチ６８がＯＮ側の場合は、トラッキングコントローラ６０は、各つまみ６２、６４の操作量に応じてマスターレンズ群２０の移動速度及び位置を指令する信号（トラッキング指令信号）を出力すると共に、アイリス１６及びＮＤフィルタ１８の駆動を指令する信号（アイリス連動指令信号）を出力する。一方、アイリス連動モード選択スイッチ６８がＯＦＦ側の場合は、トラッキング指令信号のみを出力する。
【００３４】
アイリス連動モード表示部６９は、アイリス連動モード選択スイッチ６８のＯＮ／ＯＦＦ状態に応じて点灯／消灯する表示手段である。アイリス連動モード表示部６９は、アイリス連動モードスイッチ６８がＯＮ側の場合は点灯し、ＯＦＦ側の場合は消灯する。カメラマンはアイリス連動モード表示部６９の点灯状態を確認することで、マスターレンズ群２０の駆動時にアイリス１６及びＮＤフィルタ１８が連動して駆動するモードなのか否かを容易に把握することできる。
【００３５】
なお、ズームコントローラ５６、フォーカスコントローラ５８及びトラッキングコントローラ６０は種々の形態が可能であり、具体的な形態は上述のものに限られない。例えば、トラッキングコントローラ６０は図２に示したスイッチボックスタイプ以外に、ズームコントローラ５６のようなズームレートタイプや、フォーカスコントローラ５８のようなフォーカスオンデマンドタイプでもよい。またズームのテレ方向、又はワイド方向をボタン操作で指示するズームコントローラや、ズーム制御機能とフォーカス制御機能とを兼備した制御装置でもよい。また、レンズ装置１０にはズームコントローラ５６、フォーカスコントローラ５８及びトラッキングコントローラ６０以外にも、例えば、予め記憶させておいたフォーカス位置及びズーム位置をボタン操作で瞬時に再現するショットボックスなど様々なコントローラ（その他のコントローラ）が接続され得る。
【００３６】
次に、上記の如く構成されたレンズ装置１０の作用について説明する。
【００３７】
図３は、ＣＰＵ５４の処理の流れを表すフロー図である。同図に示すように、ＣＰＵ５４の処理が開始されると、まず、種々の初期設定が実行される（ステップＳ１１０）。そして、リモートトラッキングスイッチ６６の状態を確認する（ステップＳ１１２）。リモートトラッキングスイッチ６６が押されてＯＮ状態であればステップＳ１１４に移行し、ＯＦＦ状態であればステップＳ１１２に戻る。
【００３８】
リモートトラッキングスイッチ６６がＯＮ状態である場合、ＣＰＵ５４はアイリス連動モード選択スイッチ６８の状態を確認する（ステップＳ１１４）。アイリス連動モード選択スイッチ６８がＯＮ状態であればステップＳ１１６に移行し、ＯＦＦ状態であればステップＳ１２２に移行する。
【００３９】
アイリス連動モード選択スイッチ６８がＯＮ状態の場合、ＣＰＵ５４は位置検出手段４６が検出するアイリス１６の開口径に相当する絞り位置をＡ／Ｄ変換器５２を介して読み込む（ステップＳ１１６）。絞り端から開放端に至るアイリス１６の開口の全可動範囲は予め定められた所定の絞り位置を基準として開放側領域と絞り側領域とに２分されており、ステップＳ１１６で読み込んだ現在の絞り位置が絞り側領域に属しているか否かが判別される（ステップＳ１１８）。現在の絞り位置が絞り側領域に属している場合にはステップ１２０に移行し、開放側領域に属している場合にはステップ１２２に移行する。なお、ステップ１１８において、現在の絞り位置が開放端か否かを判別するようにしてもよい。
【００４０】
アイリス連動モード選択スイッチ６８がＯＮ状態であり、かつアイリス１６の絞り位置が絞り側領域に属している場合、ＣＰＵ５４はマスターレンズ群２０を駆動すると共に、アイリス１６及びＮＤフィルタ１８を駆動する（ステップＳ１２０）。このときアイリス１６は開放側に駆動させられ、ＮＤフィルタ１８は光軸上に挿入されるように駆動させられる。
【００４１】
一方、アイリス連動モード選択スイッチ６８がＯＦＦ状態、又はアイリス１６の絞り位置が開放側領域に属している場合、ＣＰＵ５４はマスターレンズ群２０のみを駆動する（ステップＳ１２２）。
【００４２】
このようにアイリス連動モード選択スイッチ６８がＯＮ状態のときにリモートトラッキングスイッチ６６がＯＮ操作された場合には、マスターレンズ群２０の駆動と共に、アイリス１６を開放側に駆動し、さらにＮＤフィルタ１８を光軸上に配置する。アイリス１６が開放側に駆動されると焦点深度が浅くなり、ＮＤフィルタ１８が光軸上に配置されるとレンズ装置１０を通過する光量が減少する。これにより、適正な露出状態で撮影ができると共に、所望のぼかし効果を得ることができる。
【００４３】
なお、撮影開始前にフランジバック調整を行って設定されたマスターレンズ群２０のポジション（フランジバック調整位置）は図示しない記憶手段によって記憶することが可能であり、上述のぼかし操作を終えてリモートトラッキングスイッチ６６がＯＦＦ操作された場合には、記憶手段から位置情報を読み出してマスターレンズ群２０を元の位置に復帰する。またアイリス１６及びＮＤフィルタ１８についても、それぞれ位置検出手段４６、４８によりリモートトラッキングスイッチ６６がＯＮ状態となる前の現在位置を上記記憶手段に記憶しておき、マスターレンズ群２０の復帰と共に元の状態に復帰する。
【００４４】
第１の実施形態では、アイリス連動モード選択スイッチ６８及びアイリス１６の状態に応じて、マスターレンズ群２０、アイリス１６及びＮＤフィルタ１８を選択的に駆動することにより、複雑な操作を行うことなく適正な露出状態で撮影ができると共に、撮影中の映像に所望のぼかし効果を与えることができる。特に、焦点深度の深いワイド側の領域での撮影時には、アイリス連動モード選択スイッチ６８をＯＮ状態にしておくことにより、マスターレンズ群２０、アイリス１６及びＮＤフィルタ１８が連動して駆動するので、所望のぼかし効果を容易に得ることができる。なお、マスターレンズ群２０の駆動の際には、マスターレンズ群２０全体を移動させてもよいし、マスターレンズ群２０の一部のレンズを移動させてもよく、後述する第２及び第３の実施形態においても同様である。
【００４５】
また第１の実施形態では、レンズ装置１０を通過する光量を制限する遮光部材としてＮＤフィルタ１８を例示したが、これに限定されず、例えば開閉速度を可変させることができるシャッターでもよい。この場合、マスターレンズ群２０の駆動と共に、アイリス１６を開放側に駆動し、シャッター速度が遅くなるようにシャッターを駆動すればよく、ＮＤフィルタ１８と同様に、レンズ装置１０を通過する光量を制限することができる。
【００４６】
またレンズ装置１０はＮＤフィルタ１８及びシャッターをレンズ装置１０に備えてもよい。ＮＤフィルタ１８及びシャッターのいずれか一方のみを備える場合に比べて、レンズ装置１０を通過する光量をさらに制限することができるので、テレビカメラ本体に備えられる撮像素子が高感度な場合に特に有効である。
【００４７】
〔第２の実施形態〕
図４は、本発明の第２の実施形態におけるＣＰＵの処理の流れを表すフロー図である。本実施形態では、第１の実施形態（図３参照）と異なり、ステップＳ２１４においてアイリス連動モード選択スイッチ６８がＯＮ状態であると判別された場合、ＣＰＵ５４は位置検出手段４４が検出するズーム位置をＡ／Ｄ変換器５２を介して読み込む（ステップＳ２１６）。テレ端からワイド端に至るズームレンズ群１４の全可動範囲は予め定められた所定のズーム位置を基準としてテレ側領域とワイド側領域とに２分されており、ステップＳ２１６で読み込んだ現在のズーム位置がワイド側領域に属しているか否かが判別される（ステップＳ２１８）。現在のズーム位置がワイド側領域に属している場合にはステップＳ２２０に移行し、テレ側領域に属している場合にはステップＳ２２８に移行する。ステップＳ２１８において現在のズーム位置がテレ側領域にあると判別された場合、ＣＰＵ５４はフォーカスレンズ群１２を駆動する（ステップＳ２２８）。なお図示はしないが、第１の実施形態と同様に、リモートトラッキングスイッチ６６がＯＦＦ状態となると、マスターレンズ群２０、フォーカスレンズ群１２、アイリス１６及びＮＤフィルタ１８は元の状態に復帰する。
【００４８】
第２の実施の形態では、ズームレンズ群１４のズーム位置及びアイリス１６の絞り位置に応じて、マスターレンズ群２０、アイリス１６、ＮＤフィルタ１８及びフォーカスレンズ群１２を選択的に駆動する。従って、カメラマンはこれらの位置を意識することなく、撮影中の映像に所望のぼかし効果を与えることができる。
【００４９】
〔第３の実施形態〕
図５は、第３の実施形態におけるレンズ装置１０の駆動制御系を示すブロック図である。同図には、テレビカメラ本体７０の駆動制御系の概略も表している。本実施形態における撮影レンズ１０は、ＮＤフィルタを備えておらず、テレビカメラ本体７０にＮＤフィルタ７４が備えられている点で第１の実施形態と異なる。テレビカメラ本体７０には、ＮＤフィルタ７４の他に、中央処理装置（ＣＰＵ）７２及び撮像素子（ＣＣＤ）７６が備えられている。
【００５０】
テレビカメラ本体７０のＮＤフィルタ７４は、不図示の駆動回路及び駆動手段を介して、ＣＰＵ７２からの制御信号に応じて光軸上に配置されるように構成されている。またＣＣＤ７６は、ＣＰＵ７２からの制御信号に応じて感度が変化するように構成されている。テレビカメラ本体７０のＣＰＵ７２は、レンズ装置１０のＣＰＵ５４とシリアル通信で各種信号を送受信可能に構成されている。従って、レンズ装置１０のＣＰＵ５４からテレビカメラ本体７０のＣＰＵ７２に対して、ＮＤフィルタ７４やＣＣＤ７６に対する制御信号（光量制限信号に相当）を送信することにより、ＮＤフィルタ７４やＣＣＤ７６に所定の動作をさせることができる。なお、図１に示した構成と同一又は類似の構成には同一の符号を付し、その説明は省略する。また図５におけるトラッキングコントローラ６０の構成は、図２と同様であるので、図示を省略する。
【００５１】
図６は、レンズ装置１０のＣＰＵ５４の処理の流れを表すフロー図である。本実施形態では、ステップＳ３２４、Ｓ３２６の処理以外は、第２の実施形態と同様であるので、その説明は省略する。
【００５２】
ステップＳ３２２においてアイリス１６の絞り位置が絞り側領域に属していると判別された場合、ＣＰＵ５４はマスターレンズ群２０を駆動すると共にアイリス１６を開放側に駆動する（ステップＳ３２４）。そしてＣＰＵ５４は、テレビカメラ本体７０のＣＰＵ７２に対して、ＮＤフィルタ７４を光軸上に配置すると共に、ＣＣＤ７２の感度を低下させる制御信号（光量制限信号に相当）を送信する（ステップＳ３２６）。なおステップＳ３２４とステップ３２６の処理を同時に行ってもよい。テレビカメラ本体７０のＣＰＵ７２は、レンズ装置１０のＣＰＵ５４から制御信号を受信すると、ＮＤフィルタ７４を光軸上に配置すると共に、ＣＣＤ７２の感度を低下させる。
【００５３】
このようにして撮影中の映像にぼかし効果を与えることができる。なお、リモートトラッキングスイッチ６６がＯＦＦ状態となった場合には、第１及び第２の実施形態と同様に、マスターレンズ群２０、フォーカスレンズ群１２、アイリス１６、ＮＤフィルタ７４及びＣＣＤ７２はそれぞれ元の状態に復帰する。
【００５４】
第３の実施形態では、レンズ装置１０はテレビカメラ本体７０に対して制御信号を送信することができるので、テレビカメラ本体７０にＮＤフィルタ７４が設けられている場合にも、ズームレンズ群１４のズーム位置及びアイリス１６の絞り位置に応じて、レンズ装置１０のマスターレンズ群２０及びアイリス１６と共に、ＮＤフィルタ７４を選択的に駆動することができる。従って、カメラマンはこれらの位置を意識することなく、撮影中の映像に所望のぼかし効果を与えることができる。
【００５５】
また第３の実施形態では、テレビカメラ本体７０の撮像素子７６の感度も、ズームレンズ群１４のズーム位置及びアイリス１６の絞り位置に応じて、選択的に変化させることができる。アイリス１６を開放し、ＮＤフィルタ７４を光軸上に挿入しても、テレビカメラ本体７０の撮像素子７６の感度に入射する光量が多すぎて所望のぼかし効果を得ることができない場合に対しても、テレビカメラ本体７０の撮像素子７６の感度を下げることにより、適正な露出状態で撮影ができると共に、撮影中の映像に所望のぼかし効果を与えることができる。
【００５６】
なお第３の実施形態では、テレビカメラ本体７０にＮＤフィルタ７４及び撮像素子７６が備えられている構成を示したが、撮像素子７６のみがテレビカメラ本体７０に備えられている場合にも同様に本発明を適用することが可能である。
【００５７】
以上、本発明のレンズ装置について詳細に説明したが、本発明は、以上の例には限定されず、本発明の要旨を逸脱しない範囲において、各種の改良や変形を行ってよいのはもちろんである。
【図面の簡単な説明】
【００５８】
【図１】第１の実施形態に係るレンズ装置の駆動制御系を示すブロック図である。
【図２】トラッキングコントローラの一例を示した構成図である。
【図３】第１の実施形態に係るＣＰＵの処理の流れを表すフロー図である。
【図４】第２の実施形態に係るＣＰＵの処理の流れを表すフロー図である。
【図５】第３の実施形態に係るレンズ装置の駆動制御系を示すブロック図である。
【図６】第３の実施形態におけるＣＰＵの処理の流れを表すフロー図である。
【符号の説明】
【００５９】
１０…レンズ装置、１２…フォーカスレンズ群、１４…ズームレンズ群、１６…アイリス、１８…ＮＤフィルタ、２０…マスターレンズ群、２２、２４、２６、２８、３０…駆動回路、３２、３４、３６、３８、４０…モータ、４２、４４、４６、４８、５０…位置検出手段、５４…ＣＰＵ、５６…ズームコントローラ、５８…フォーカスコントローラ、６０…トラッキングコントローラ、６２…スピード調整つまみ、６４…位置調整つまみ、６６…リモートトラッキングスイッチ、６８…アイリス連動モード選択スイッチ、６９…アイリス連動モード表示部、７０…テレビカメラ本体、７２…ＣＰＵ、７４…ＮＤフィルタ、７６…撮像素子
【図１】
2006195340.tif 000003
【図２】
2006195340.tif 000004
【図３】
2006195340.tif 000005
【図４】
2006195340.tif 000006
【図５】
2006195340.tif 000007
【図６】
2006195340.tif 000008